(57)【要約】【課題】ケース本体とカバー体からなる包装ケースにおいて、ケース本体からカバー体が一気に外れてケースが開口するのではなく、ケースに衝撃を加えることなく、カバー体をスムーズ且つ滑らかに取り外すことができるように構成する。【解決手段】包装ケース１を、平坦なシート面２１，３１の周囲に、シート面２１，３１の縁部で断面略下向きコ字状乃至Ｕ字状に屈曲していて端部に外方へ突出した鍔部２４，３４を設けてなる堤部２３，３３を、シート面２１，３１の周辺に沿って連続的又は断続的に連ねて形成されたケース本体２及びカバー体３により構成する。両堤部２３，３３には、複数の凹面部２５，３５と複数の嵌合凹凸部２６，３６を設け、カバー体３を取り外すときに各嵌合凹凸部２６，３６が順次独立して分離するように各嵌合凹凸部２６，３６を堤部２３，３３の内外両側面に配置する。【選択図】図１
2015174682.tif 000002
【特許請求の範囲】
【請求項１】
平坦なシート面（２１，３１）の周囲に、シート面（２１，３１）の縁部で断面略下向きコ字状乃至Ｕ字状に屈曲していて端部に外方へ突出した鍔部（２４，３４）を設けてなる堤部（２３，３３）を、シート面（２１，３１）の周辺に沿って連続的又は断続的に連ねて形成されたケース本体（２）及びカバー体（３）からなり、
ケース本体（２）の堤部（２３）上にカバー体（３）の堤部（３３）を重ねてケース本体（２）にカバー体（３）が被さり、両体の重なり合ったシート面（２１，３１）間に物品が挟まれて収納される包装ケース（１）であって、
前記ケース本体（２）の堤部（２３）に、堤部（２３）の上部を堤部（２３）の上面（２３ａ）から堤部の内外側面（２３ｂ，２３ｃ）に亘って下方へ凹ませてなる凹面部（２５）が堤部（２３）の形成方向に沿って互いに間隔を開けて複数設けられているとともに、各凹面部（２５）を挟む位置の堤部の内側面（２３ｂ）と外側面（２３ｃ）にはそれぞれ内方へ凹んだ嵌合凹部（２６，２６）が各々設けられ、
前記カバー体（３）の堤部（３３）に、堤部（３３）の上部を堤部（３３）の上面（３３ａ）から堤部（３３）の内外側面（３３ｂ，３３ｃ）に亘って下方へ凹んだ前記ケース本体（２）の凹面部（２５）に重合する凹面部（３５）が、前記ケース本体（２）に設けられた複数の凹面部（２５）に位置対応させて複数設けられているとともに、各凹面部（３５）を挟む位置の堤部（３３）の内側面（３３ｂ）と外側面（３３ｃ）にはそれぞれカバー体（３）の裏面側で内方へ突出した嵌合凸部（３６，３６）が各々設けられた構成を有することを特徴とする包装ケース（１）。
【請求項２】
ケース本体（２）とカバー体（３）の堤部（２３，３３）に設けられた凹面部（２５，３５）は、堤部（２３，３３）の形成方向に沿って堤部（２３，３３）の上面（２３ａ，３３ａ）が下向きに湾曲した湾曲凹部であることを特徴とする請求項１に記載の包装ケース（１）。
【請求項３】
ケース本体（２）とカバー体（３）の平坦なシート面（２１，３１）内に、包装される物品の外形状に沿ってシート面（２１，３１）を表面側又は裏面側へ膨出せてなる物品収納部（２２，３３）が形成された構成を有することを特徴とする請求項１又は２に記載の包装ケース（１）。
【請求項４】
ケース本体（２）とカバー体（３）のシート面（２１，３１）内に、ケース吊り下げフックを通すための通孔（２７，３７）が形成された構成を有することを特徴とする請求項１〜３の何れかに記載の包装ケース（１）。
【請求項５】
ケース本体（２）とカバー体（３）が平面視方形状に形成された構成を有する請求項１〜４の何れかに記載の包装ケース。
【発明の詳細な説明】
【技術分野】
【０００１】
本発明は、日用品や玩具、化粧品その他の物品を収納して保管や運搬、展示販売に供するのに好適な、薄肉のプラスチックシート成形体よりなる包装ケースに関する。
【背景技術】
【０００２】
電池などの小物を収納し、これを陳列棚のフックなどに吊下げて展示販売に供するための包装ケースとして、例えば図１０に示されるように、平坦なシート面１０１ａの内部に物品の収容凹所１０１ｂを設け、シート面１０１ａの周辺部に凹部１０１ｃと凸部１０１ｄを複数設けてなるケース本体１０１と、同じく平坦なシート面１０２ａの内部に収容凹所１０２ｂを設け、シート面１０２ａの周辺部に、ケース本体１０１に設けた凹凸部１０１ｃ，１０１ｄと位置対応させて凸部１０２ｃと凹部１０２ｄを複数設けてなるカバー体１０２と、フックが挿通する通孔１０３ａを有する吊り下げ片１０３とからなる構成のものが知られている（例えば特許文献１参照）。
【０００３】
この包装ケース１００は、ケース本体１０１とカバー体１０２の上端間に吊り下げ片１０３を挟み入れるとともに、両体の収容凹所１０１ｂ，１０２ｂ内に物品を収容して周辺のシート面１０１ａ，１０２ａ同士を重ね合わせつつ凹凸部１０１ｃ，１０２ｃ及び１０１ｄ，１０２ｄを嵌合させることにより、ケース本体１０１とカバー体１０２が一体に接続して、閉じ合わさった収容凹所１０１ｂ，１０２ｂの中に物品が収納保持され、また、前記凹凸部１０１ｃ，１０２ｃ及び１０１ｄ、１０２ｄの嵌合を解除してケース本体１０１からカバー体１０２を外すことで、収納された物品の取り出しが行えるようになっている。
【０００４】
また、総菜などの食品を包装する蓋付きの容器において、容器本体の開口面に被せた蓋体が容器本体から容易に取り外れないようにすることを企図して、図１１に示されるように、上側が方形に開口した容器本体２０１の各辺の側壁２０１ａ上端の外方折れ部２０１ｂに、凹凸が連続した被嵌合部２０１ｃを各々設け、また、下側が方形に開口した蓋体２０２の各辺の側壁２０２ａの折り返し部２０２ｂに、同じく凹凸が連続した嵌合部２０２ｃを各々設け、容器本体２０１の前記外方折れ部２０１ｂに蓋体２０２の前記折り返し部２０２ｂを嵌め込み、且つ容器本体２０１の各辺の被嵌合部２０１ｃに蓋体２０２の各辺の嵌合部２０２ｃを凹凸嵌合させて蓋体２０２が容器本体２０１上に固定されるようにした構成のものが知られている（例えば特許文献２参照）。
【先行技術文献】
【特許文献】
【０００５】
【特許文献１】特開２００１−２２５８６３号公報
【特許文献２】特開２０１２−８１９６５号公報
【発明の開示】
【発明が解決しようとする課題】
【０００６】
図１０に示された包装ケース１００は、ケース本体１０１とカバー体１０２の重なり部に指を掛けて、ケース本体１０１に重なったカバー体１０２を引き剥がすように開き、嵌合した凹凸部１０１ｃ，１０２ｃ及び１０１ｄ，１０２ｄを分離することでケース内部が開口する。
この開口操作の際、各凹凸部１０１ｃ，１０２ｃ及び１０１ｄ，１０２ｄは、一つずつ個別に分離するのではなく、例えば一つの凹凸部１０１ｃ，１０２ｃを分離させようとしてケース本体１０１とカバー体１０２間を開くと、重なり合ったシート面１０１ａ，１０２ａ同士が徐々に離れるのに従って、シート面１０１ａ，１０２ａの周辺に配置された各凹凸部１０１ｃ，１０２ｃ及び１０１ｄ，１０２ｄの嵌合が徐々に浅くなり、結局、前記一つの凹凸部１０１ｃ，１０２ｃが分離するのと同時に他の各凹凸部１０１ｃ，１０２ｃ及び１０１ｄ，１０２ｄが分離して、ケース内部が一気に開放するようになっている。
つまり、ケースを開口するには、嵌合した全ての凹凸部１０１ｃ，１０２ｃ及び１０１ｄ，１０２ｄを一斉に分離させるだけの力をケース本体１０１とカバー体１０２との間に加える必要があり、しかも全ての凹凸部が同時に分離してケース内部が一気に開放されるため、開放時に収納されていた物品が包装ケース１００から飛び出てしまったり、複数個の物品を収納していたときには包装ケース１００の周辺にバラバラに飛散してしまったりすることがあった。
また、陳列棚に吊り下げられていた包装ケース１００が床面に落下するなど、展示や保管、輸送中に包装ケース１００に大きな衝撃が加わると、嵌合していた各凹凸部１０１ｃ，１０２ｃ及び１０１ｄ，１０２ｄが一気に分離してケースが開き、物品が包装ケース１００から抜け落ちて表面に傷が付いたり破損したりすることがある。そのため、衝撃を受けても包装ケース１００が開かないように、ケース本体１０１とカバー体１０２の重なった部分にラベルや粘着テープなどの封止部材を貼り付けておくことが不可欠であった。
【０００７】
図１１に示された包装容器２００は、容器本体２０１の上端に対する蓋体２０２の嵌合強度が高まって、蓋体２０２の容器本体２０１からの取り外れ防止に効果がある。
しかし、この包装容器２００も前記包装ケース１００と同様に、例えば包装容器２００の四隅部の内の一つの隅部から、或いは四側辺の内の一の側辺に沿って容器を開口するべく、容器本体２０１を片手で支えながら、蓋体２０２の前記隅部又は側辺部の縁部を摘んで上方へ引き上げると、蓋体２０２の各辺の嵌合部２０２が容器本体２０１の各辺の被嵌合部２０１から分離して、容器内部が一気に開放する構成のものである。
この包装容器２００では、前記蓋体２０２が容器本体２０１に強固に取り付けられていることと相俟って、容器を開ける際に極めて大きな力を必要とし、容器が一気に開口するときの衝撃で容器本体２０１が傾くなどして、収納された食品を容器の外にこぼれ落としてしまう危険が高く、また、テーブルから床上に包装容器２００が落下するなどして大きな衝撃が加わると、蓋体２０２が容器本体２０１から取り外れてしまうことがあった。
【０００８】
本発明は従来技術の有するこのような問題点に鑑み、周辺部に互いに嵌合する複数の嵌合部位を設けて形成されたケース本体とカバー体からなる包装ケースにおいて、物品を包装する際のケース本体にカバー体を装着して固定する操作が容易であり、物品を取り出すときは、ケース本体からカバー体が一気に外れてケースが開口するのではなく、小さな力で各嵌合部位を順次分離して、ケースに衝撃を加えることなく、ケース本体からカバー体をスムーズ且つ滑らかに取り外すことができるようにすることを課題とする。
【課題を解決するための手段】
【０００９】
前記課題を解決するため本発明は、平坦なシート面の周囲に、シート面の縁部で断面略下向きコ字状乃至Ｕ字状に屈曲していて端部に外方へ突出した鍔部を設けてなる堤部を、シート面の周辺に沿って連続的又は断続的に連ねて形成されたケース本体及びカバー体からなり、
ケース本体の堤部上にカバー体の堤部を重ねてケース本体にカバー体が被さり、両体の重なり合ったシート面間に物品が挟まれて収納される包装ケースであって、
前記ケース本体の堤部に、堤部の上部を堤部の上面から堤部の内外側面に亘って下方へ凹ませてなる凹面部が堤部の形成方向に沿って互いに間隔を開けて複数設けられているとともに、各凹面部を挟む位置の堤部の内側面と外側面にはそれぞれ内方へ凹んだ嵌合凹部が各々設けられ、
前記カバー体の堤部に、堤部の上部を堤部の上面から堤部の内外側面に亘って下方へ凹んだ前記ケース本体の凹面部に重合する凹面部が、前記ケース本体に設けられた複数の凹面部に位置対応させての複数設けられているとともに、各凹面部を挟む位置の堤部の内側面と外側面にはそれぞれカバー体の裏面側で内方へ突出した嵌合凸部が各々設けられた構成を有することを特徴とする。
【００１０】
本発明の包装ケースによれば、ケースを構成するケース本体とカバー体が、ともにシート面の周辺に沿って連続し或いは間隔を開けて断続的に連なった堤部を設けて形成され、カバー体はその堤部をケース本体の堤部上に重ねて堤部同士を上下に嵌め合わすことでケース本体に被さって取り付けられる。
ケース本体にカバー体を取り付けることにより、両体の上下に重なり合ったシート面の間に物品が挟まれて収納され、収納した物品を保管や運搬、展示販売に供することができる。
【００１１】
カバー体をケース本体に取り付けるには、ケース本体上でカバー体の堤部とケース本体の堤部の位置を合わせ、ケース本体の堤部の上面にカバー体の堤部の下面を嵌め合せた状態でカバー体をケース本体に下向きに押し付けることにより行うことができる。
すなわち、ケース本体の堤部上面にカバー体の堤部下面を嵌め込むと、ケース本体の堤部に設けられた各凹面部上にカバー体の堤部に設けられた各凹面部が重ね合わさるとともに、ケース本体の堤部の内外側面に設けられた各嵌合凹部にカバー体の堤部の内外側面に設けられた各嵌合凸部が嵌合し、カバー体の堤部がケース本体の堤部に重なってカバー体がケース本体上に固定される。
このとき、ケース本体の堤部の各嵌合凹部とカバー体の堤部の各嵌合凸部は、それぞれの堤部の各凹面部を挟む凹面部の両側の位置に設けられているので、ケース本体の凹面部にカバー体の凹面部が重なることで各嵌合凹部に各嵌合凸部がそのまま嵌合し、嵌合位置がずれるようなことはない。また、ケース本体とカバー体の両堤部は、それぞれ両体の周辺を囲うようにして設けられているので、ケース本体の堤部にカバー体の堤部を重ねて嵌めた状態で、カバー体の位置がケース本体上でずれるようなことはなく、両体のシート面で挟んだ物品を収納位置に確実に固定し保持しておくことができる。
【００１２】
また、ケース本体とカバー体のそれぞれの堤部には複数の凹面部が設けられているので、これにより、凹面部の部分でシート面を屈曲したり撓ませたり捩ったりすることを可能とする可撓性や柔軟性をケース本体及びカバー体の全体に持たせることができる（後述の図８参照）。
従って、例えばケース本体にカバー体を取り付けて物品を収納した包装ケースが展示棚などから床面に落下するなどして、包装ケースに衝撃や外部からの力が加わったとしても、ケース本体及びカバー体が適宜に撓んで衝撃や外力を吸収し、ケース本体からカバー体が取りは外れることを効果的に防止することができる。
耐衝撃性に優れるため、包装した物品を保管したり運搬したりする際に大きな衝撃が加わっても、ケース本体からカバー体は分離し難く、開いたケースから物品が飛び出ることにより傷や破損が生ずる事態の発生の軽減を図ることが可能である。また、衝撃や外力が加わってもケース本体とカバー体が分離し難いので、カバー体をケース本体に取り付けた状態で、カバー体をケース本体上に留め付けておくためのラベルなどの封止部材は不要である。
【００１３】
また、包装された物品を取り出す際には、ケース本体の縁部とその上に重なったカバー体の縁部をそれぞれ指で摘み、カバー体をケース本体上から引き剥がすように上方へ引っ張れば、カバー体がケース本体から取り外れて、収納された物品を露出させて取り出すことができる。
この際、前記の通り、ケース本体とカバー体は、それぞれの堤部に沿って設けられた複数の嵌合凸部と嵌合凹部が互いに嵌合して接続しており、しかも、ケース本体及びカバー体は各凹面部の部分で屈曲乃至湾曲可能に形成されているので、ケース本体とカバー体の縁部をそれぞれ摘んでカバー体をケース本体から離れるように引っ張ると、重なり合ったカバー体とケース本体はそれぞれ引っ張った向きに撓みながら両体のシート面間の隙間が広がり、これに伴い互い嵌合していた各嵌合凹凸部が一組毎に独立して分離し、恰も接続していた面状テープを引き剥がす如く或いは閉じ合せたジッパーを開くが如く、カバー体は引っ張る方向に沿ってその全体をケース本体上で湾曲させながら徐々にケース本体から捲れ上がり、全ての嵌合凹凸部が分離することでカバー体がケース本体から取り外れる（後述の図９参照）。
従って、従来の包装ケースの如く、カバー体をケース本体から外れる方向に力を加えたるとカバー体が一気に取り外れるようなことはなく、また、カバー体とケース本体を引っ張る際に独立した各嵌合凹凸部を一組ずつ分離させるだけの力を加えればよいので、包装ケースを開ける操作が極めて簡単でスムーズに行え、開口操作の際にケースに衝撃が加わることもない。
また、複数個の物品を収納していた場合、カバー体を半分だけケース本体から捲り上げて、収納されていた物品の一つだけを取り出すことも可能である。
【００１４】
前記構成の包装ケースにおいて、ケース本体とカバー体に設ける堤部は、ケース内部の密閉性を高めるため、それぞれのシート面の全周辺に亘って連続して設けてあることが好ましいが、周辺部に沿って適宜な隙間を空けて断続的に設けてもよい。
また、ケース本体とカバー体が無理なく湾曲乃至屈曲するように、堤部に設ける凹面部は、堤部の形成方向に沿って堤部の上面が下向きに湾曲した湾曲凹部とすることが好ましい。
【００１５】
また、包装ケースに収納される物品の種類は問わず、例えばラベルやチラシなどの薄肉の物品であればケース本体とカバー体の平坦なシート面間に挟んで収納することができる。
厚みのある物品を収納する場合、ケース本体とカバー体の平坦なシート面内に、包装される物品の外形状に沿ってシート面を表面側又は裏面側へ膨出させてなる物品収納部を形成し、物品収納部内に置いた物品をケース本体とカバー体のシート面間に挟んで収納することができる。
また、ケース本体とカバー体のシート面内にケース吊り下げフックを通すための通孔を形成することで、包装された物品を陳列棚のフックに吊下げて展示するができる。
【００１６】
ケース本体とカバー体は、収納する物品や展示販売の態様に応じた外形状に形成することができる。ケース本体とカバー体を平面視方形状に形成する場合、堤部はそれぞれ互いに重なり合う対応位置であって、四側辺に沿うようにして、物品が収納されるシート面の周囲を囲うような配置に設けることができる。
【００１７】
前記構成の包装ケースは、例えばポリエチレンテレフタレートやポリプロピレン、ポリスチレンなどの合成樹脂材を用い、薄いシート状の樹脂板を真空成形や圧空成形など適宜な方法で成形して形成することができる。成形材料はこれに限定されず他の適宜な樹脂材を用いてもよい。
なお、ケース本体とカバー体の堤部に設ける凹面部と嵌合凹部及び嵌合凸部の位置や個数、配置の周期などは、収納する物品の重さや厚み、形状などに応じて設計される包装ケースの成形寸法、成形材料、成形条件、或いはケースデザインなどに応じて適宜に選定可能である。ケース本体及びカバー体の周辺の長さに対して凹面部や嵌合凹凸部の数や周期を変えることで、嵌合性能やデザイン性能を適宜に調整することができる。
【図面の簡単な説明】
【００１８】
【図１】本発明の一実施形態の包装ケースの外観斜視図である。
【図２】図１の包装ケースの平面図である。
【図３】図１の包装ケースのケース本体とカバー体の外観斜視図である。
【図４】（Ａ）はケース本体のコーナー部分の表面側拡大外観図、（Ｂ）はカバー体のコーナー部分の裏面側拡大外観図である。
【図５】ケース本体とカバー体の要部側面拡大図である。
【図６】図５中のＶＩ−ＶＩ線に沿った断面図である。
【図７】（Ａ）はケース本体とカバー体の端部拡大端面図、（Ｂ）はケース本体にカバー体を取り付けた状態の端部拡大端面図である。
【図８】図１の包装ケースの端部を把持して撓ませた状態の外観図である。
【図９】図１の包装ケースを開口する状態を示した外観図である。
【図１０】従来の包装ケースの一例を示す（Ａ）は正面図、（Ｂ）はケース本体とカバー体を分離した側面図である。
【図１１】従来の包装容器の一例を示す（Ａ）は容器本体と蓋体の外観斜視図、（Ｂ）は包装容器の平面図である。
【発明を実施するための形態】
【００１９】
本発明の好適な一実施形態を、図面を参照して説明する。
図１及び図２は本発明の一実施形態の包装ケースの外観斜視図と平面図、図３は包装ケースを構成するケース本体とカバー体の外観斜視図であり、図示されるように、本形態の包装ケース１は、シート状のＰＥＴを真空成形により成形した平面視矩形状を呈するケース本体２とカバー体３からなり、両体２，３はその平坦なシート面２１，３１内に包装される物品（図示せず）の収納凹所である物品収納部２２，３２を備え、ケース本体２の上にカバー体３を重ねてケース本体２にカバー体３を被せることにより、両体２，３の重なり合ったシート面２１，３１で物品収納部２２，３２を閉鎖し、物品をシート面２１，３１間に挟んで包装する構成のものである。
【００２０】
詳しくは、ケース本体２は、その平坦なシート面２１内に、物品の外形状に沿ってシート面２１を表面側へ膨出させてなる物品収納部２２を設け、シート面２１の周辺には、シート面２１の端部を当該シート面２１よりも高く屈曲させて立ち上げた堤部２３を設けて形成してある。
堤部２３は、シート面２１の縁部を断面略下向きコ字状に屈曲し、且つその端部にシート面２１と平行に外方へ突出した鍔部２４を連ねた形状をなし、シート面２１の周囲を囲うように、ケース本体２の四隅コーナー部を含む四側辺に沿って一続きに連続させて設けてある。
また、図２及び図３に示されるように、ケース本体２の四側辺に沿って形成された堤部２３の内、対向する長手両辺に配置された堤部２３には当該堤部２３の形成方向に沿って一定の間隔を開けて８個の凹面部２５を、また、対向する短手両辺に配置された堤部２３には同じく当該堤部２３の形成方向に沿って一定の間隔を開けて５個の凹面部２５を各々設けてある。
各凹面部２５は、図４及び図５に示されるように、堤部２３の形成方向に沿って堤部２３の上面２３ａが下向きに湾曲した湾曲凹部であり、ケース本体２の長手両辺と短手両辺にそれぞれ設けた凹面部２５は、それぞれの対向する辺に対してケース本体２の中央を中心として点対称となる配置に設けてある。
また、図５及び図６に示されるように、堤部２３の凹面部２５が形成されていない部分の内側面２３ｂと外側面２３ｃであって、各凹面部２５を挟む位置の内外側面２３ｂ，２３ｃには、各々内方へ凹んだ（裏面側で内方へ突出した）嵌合凹部２６，２６を設けてある。
【００２１】
カバー体３は、ケース本体２と略同形状に形成してある。
すなわち、カバー体２は、その平坦なシート面３１内に、物品の外形状に沿ってシート面３１を表面側へ膨出させてなる物品収納部３２を設け、シート面３１の周辺には、シート面３１の端部を当該シート面３１よりも高く屈曲させて立ち上げた堤部３３を設けて形成してある。
堤部３３は、シート面３１の縁部を断面略下向きコ字状に屈曲し、且つその端部にシート面３１と平行に外方へ突出した鍔部３４を連ねた形状をなすとともに、ケース本体２の堤部２３にその上面から嵌めて略ぴったりと重なるように、ケース本体２の堤部２３に位置対応させて、カバー体３の四隅コーナー部を含む四側辺に沿って一続きに連続させて設けてある。
また、堤部３３には、ケース本体２の凹面部２５の上面に重なる湾曲凹部である凹面部３５を、ケース本体２の長手両辺と短手両辺の堤部２３に各々設けられた各凹面部２５と位置対応させて、堤部３３の形成方向に沿って一定の間隔を開けて複数設けてある。
さらに、図５及び図６に示されるように、堤部３３の凹面部３５が形成されていない部分の内側面３３ｂと外側面３３ｃであって、各凹面部３５を挟む位置の内外側面３３ｂ，３３ｃには、各々カバー体２の裏面側で内方へ突出した嵌合凸部３６，３６を設けてある。各嵌合凸部３６，３６は、カバー体３の堤部３３をケース本体２の堤部２３に重ねたときに、ケース本体２の各嵌合凹部２３ｂ，２３ｃに嵌合する位置に設けてある（図７参照）。
また、物品を収納した包装ケース１を陳列棚に吊下げて展示できるように、ケース本体２のシート面２１とカバー体３のシート面３１には、ケース吊り下げフックを通すための通孔２７、３７を形成してある。
【００２２】
このように構成された本形態の包装ケース１によれば、テーブルなどの支持面上にケース本体２を置いた状態でケース本体２の物品収納部２２に包装する物品を置き、この物品に物品収納部３２が重なるようにしてカバー体３をケース本体２に重ね合わせるとともに、カバー体３の堤部３３をケース本体２の堤部２３上に重ねて堤部２３，３２同士を上下に嵌め合わすことで、カバー体３がケース本体２に被さって取り付けられ、両体２，３の上下に重なり合ったシート面２１，３１の間に物品が挟まれて収納され、物品が収納された包装ケース１を保管や運搬、展示販売に供することができる。
【００２３】
カバー体３をケース本体２に取り付けるには、ケース本体２上でカバー体３の堤部３３とケース本体２の堤部２４の位置を合わせ、ケース本体２の堤部２３の上面にカバー体３の堤部３３の下面を嵌め合せた状態でカバー体３をケース本体２に押し付ければ、ケース本体２の堤部２３に設けられた各凹面部２５上にカバー体３の堤部３３に設けられた各凹面部３５が重ね合わさるとともに、図７に示されるように、ケース本体２の堤部２３に設けられた各嵌合凹部２６，２６にカバー体３の堤部３３に設けられた各嵌合凸部３６，３６が嵌合し、カバー体３の堤部３３がケース本体２の堤部２３に重なってカバー体３がケース本体２上に固定される。
カバー体３の取り付けは、カバー体３をケース本体２側へ押し込むという簡単な操作で行うことができる。カバー体３を取り付けることで、ケース本体２とカバー体３の重なり合ったシート面２１，３１により物品収納部２２，３２が密閉され、物品を収納位置に確実に固定し保持される。運搬中にカバー体３や物品がずれるようなことはない。
【００２４】
また、ケース本体２とカバー体３は、それぞれの堤部２３，３３に複数の凹面部２５，３５を設けて可撓性や柔軟性を持たせてあり、図８に示されるように、包装ケース１の端部を摘んで任意の方向に力を加えると、ケース本体２とカバー体３が重なった状態で撓むようになっている。
従って、包装ケース１に衝撃や外部からの力が加わったとしても、ケース本体２及びカバー体３が適宜に撓んで衝撃や外力を吸収することが可能であり、大きな衝撃が加わってもケース本体２からカバー体３が取り外れ難く、運搬中などにケース本体２からカバー体３が分離して物品が飛び出てしまい、傷や破損が生ずる事態の発生の軽減を図ることが可能である。
【００２５】
また、包装された物品を取り出す際には、図９に示されるように、ケース本体２の縁部とその上に重なったカバー体３の縁部をそれぞれ指で摘み、カバー体３をケース本体２上から引き剥がすように引っ張れば、重なり合ったカバー体３とケース本体２はそれぞれ引っ張った向きに撓みながら両体２，３のシート面２１，３１間の隙間が広がり、これに伴い互い嵌合していた各嵌合凹部２６，２６と各嵌合凸部３６，３６が一組毎に独立して分離して、カバー体３は引っ張る方向に沿ってその全体をケース本体２上で湾曲させながら徐々にケース本体３から捲れ上がり、全ての嵌合凹凸部２６，３６が分離することでケース本体２からカバー体３が取り外れて収納されていた物品を露出させることができる。
この開口操作の際、従来の包装ケースの如く、カバー体がケース本体からー体が一気に取り外れるようなことはなく、また、カバー体３とケース本体２を引っ張る際に独立した各嵌合凹凸部２６，３６を一組ずつ分離させるだけの小さな力を加えればよく、包装ケース１に大きな衝撃を加えることなく、簡易な操作でスムーズに開口させることが可能である。
また、図示した包装ケース１のように、ケース本体２とカバー体３に複数の物品収納凹部２２，３２を設けて各々に物品が収納されている場合に、カバー体３を各収納凹部２２，３２から物品を取り出せる位置までケース本体２から捲り上げれば、カバー体３全体をケース本体２から外さなくとも、その収納凹部２２，３２に収納されていた物品のみを取り出すことが可能である。つまり、複数の収納凹部２２，３２の一部のみを開口し、他は密閉した状態のままで、収納された一部の物品のみを取り出すことが可能である。
【００２６】
なお、図示した包装ケース１とこれを構成するケース本体２及びカバー体３の形態は本発明の一例を示すものであり、本発明の包装ケースはこれに限定されず、収納する物品の種類や大きさ、形状などに応じて適宜な形態で構成することが可能である。本発明の包装ケースは、真空成形や圧空成形その他適宜な成形方法により形成することが可能である。
【符号の説明】
【００２７】
１  包装ケース、２  ケース本体、３  カバー体、２１，３１  シート面、２２，３２  物品収納部、２３，３３  堤部、２４，３４  鍔部、２５，３５  凹面部、２５  嵌合凹部、３６  嵌合凸部、２７，３７  通孔
【図１】
2015174682.tif 000003
【図２】
2015174682.tif 000004
【図３】
2015174682.tif 000005
【図４】
2015174682.tif 000006
【図５】
2015174682.tif 000007
【図６】
2015174682.tif 000008
【図７】
2015174682.tif 000009
【図８】
2015174682.tif 000010
【図９】
2015174682.tif 000011
【図１０】
2015174682.tif 000012
【図１１】
2015174682.tif 000013